(57)【要約】      （修正有）【課題】従来の緊急回路に存在する、緊急監視がタイムリーではなく、監視回線が複雑であるという問題を解決する緊急監視回路、及び緊急監視装置を提供する。【解決手段】緊急監視回路及び緊急監視装置は、給電電源により提供される交流電圧信号を整流回路によって直流電圧信号に変換し、定電圧給電回路を用いて定電圧給電信号を生成し、緊急給電回路が定電圧給電信号に基づいて緊急給電信号を出力し、パワーダウン検出回路が直流電圧信号を検出してパワーダウン検出信号を生成し、主制御回路がパワーダウン検出信号に基づいてイネーブル制御信号及び負荷制御信号を生成し、昇圧回路がイネーブル制御信号に基づいて動作電圧信号を出力して、主制御回路に給電し、負荷モジュールが緊急電源を起動させるように制御するように、ＲＦ回路が負荷制御信号に基づいて負荷モジュールにＲＦ制御信号を送信する。【選択図】図１
0003229380.tif 000002
【実用新案登録請求の範囲】
【請求項１】
給電電源と少なくとも１つの負荷モジュールに接続される緊急監視回路であって、
前記給電電源に接続され、前記給電電源により提供される交流電圧信号を直流電圧信号に変換するための整流回路と、
前記整流回路に接続され、前記直流電圧信号を受信し、前記直流電圧信号に基づいて定電圧給電信号を生成するための定電圧給電回路と、
前記定電圧給電回路に接続され、前記定電圧給電信号を受信し、前記定電圧給電信号に基づいて緊急給電信号を出力するための緊急給電回路と、
前記整流回路に接続され、前記直流電圧信号を収集し、前記直流電圧信号を検出してパワーダウン検出信号を生成するためのパワーダウン検出回路と、
前記パワーダウン検出回路に接続され、前記パワーダウン検出信号を受信し、前記パワーダウン検出信号に基づいてイネーブル制御信号及び負荷制御信号を生成するための主制御回路と、
それぞれ前記主制御回路、定電圧給電回路及び前記緊急給電回路に接続され、前記イネーブル制御信号、前記緊急給電信号及び前記定電圧給電信号を受信し、イネーブル制御信号に基づいて動作電圧信号を出力して、前記主制御回路に給電するための昇圧回路と、
前記主制御回路及び前記負荷モジュールに接続され、前記負荷制御信号を受信し、前記負荷モジュールが緊急電源を起動させるように制御するように、前記負荷制御信号に基づいて前記負荷モジュールにＲＦ制御信号を送信するためのＲＦ回路とを含む、ことを特徴とする緊急監視回路。
【請求項２】
前記パワーダウン検出回路は、
前記整流回路に接続され、前記直流電圧信号を受信し、前記直流電圧信号に対して分圧処理を行って分圧信号を生成するための分圧ユニットと、
前記分圧ユニット及び前記昇圧回路に接続され、前記分圧信号に基づいて前記パワーダウン検出信号を生成するためのスイッチユニットとを含む、ことを特徴とする請求項１に記載の緊急監視回路。
【請求項３】
前記緊急給電回路は、
緊急給電信号を提供するためのバッテリーユニットと、
前記定電圧給電回路に接続され、前記定電圧給電信号を受信し、前記定電圧給電信号に基づいて前記バッテリーユニットに充電するための充電管理ユニットとを含む、ことを特徴とする請求項１に記載の緊急監視回路。
【請求項４】
前記分圧ユニットは、第３抵抗と、第４抵抗と、第４コンデンサと、第１ツェーナダイオードとを含み、
前記第３抵抗の第１端が前記整流回路に接続され、前記第３抵抗の第２端、前記第１ツェーナダイオードのカソード、前記第４抵抗の第１端及び前記第４コンデンサの第１端が前記スイッチユニットに共通接続され、前記第１ツェーナダイオードのアノード、前記第４コンデンサの第２端及び前記第４抵抗の第２端が共通接地される、ことを特徴とする請求項２に記載の緊急監視回路。
【請求項５】
前記スイッチユニットは、第５抵抗と、第１スイッチトランジスタとを含み、
前記第５抵抗の第１端が前記昇圧回路に接続され、前記第５抵抗の第２端と前記第１スイッチトランジスタの電流入力端が前記主制御回路に共通接続され、前記第１スイッチトランジスタの制御端が前記分圧ユニットに接続され、前記第１スイッチトランジスタの電流出力端が接地される、ことを特徴とする請求項２に記載の緊急監視回路。
【請求項６】
前記整流回路は、第１抵抗と、第１コンデンサと、第１ダイオードと、第２コンデンサと、第２抵抗と、第１インダクタンスと、第３コンデンサと、整流チップとを含み、
前記第１抵抗の第１端が前記給電電源の第１端に接続され、前記第１抵抗の第２端と前記第１コンデンサの第１端が前記整流チップの第１入力端に共通接続され、前記整流チップの第２入力端と前記第１コンデンサの第２端が前記給電電源の第２端に共通接続され、前記整流チップの第１出力端と前記第１ダイオードのアノードが前記パワーダウン検出回路に共通接続され、前記第１ダイオードのカソード、前記第２コンデンサの第１端、前記第２抵抗の第１端が前記第１インダクタンスの第１端に共通接続され、前記第１インダクタンスの第２端、前記第２抵抗の第２端及び前記第３コンデンサの第１端が前記定電圧給電回路に共通接続され、前記第３コンデンサの第２端、前記第２コンデンサの第２端及び前記整流チップの第２出力端が共通接地される、ことを特徴とする請求項１に記載の緊急監視回路。
【請求項７】
前記定電圧給電回路は、第６抵抗と、第７抵抗と、第８抵抗と、第９抵抗と、第１０抵抗と、第１１抵抗と、第１２抵抗と、第１３抵抗と、第１４抵抗と、第１５抵抗と、第２ダイオードと、第５コンデンサと、第６コンデンサと、第７コンデンサと、第８コンデンサと、第３ダイオードと、第４ダイオードと、第１トランスと、電源管理チップとを含み、
前記第６抵抗の第１端、前記第６コンデンサの第１端、前記第１３抵抗の第１端及び前記第１トランスの第１入力端が前記整流回路に共通接続され、前記第６コンデンサの第２端、前記第１３抵抗の第２端が前記第１２抵抗の第１端に共通接続され、前記第１２抵抗の第２端が前記第３ダイオードのカソードに接続され、前記第３ダイオードのアノードと前記第１トランスの第２入力端が前記電源管理チップの出力端に共通接続され、前記第６抵抗の第２端、前記第７抵抗の第１端及び前記第５コンデンサの第１端が前記電源管理チップの電源端に共通接続され、第７抵抗の第２端が前記ダイオードのカソードに接続され、前記第５コンデンサの第２端と前記電源管理チップの接地端が共通接地され、前記電源管理チップの電圧サンプリング端と前記第８抵抗の第１端が前記第９抵抗の第１端に共通接続され、前記第９抵抗の第２端が接地され、前記電源管理チップの電流サンプリング端と前記第１０抵抗の第１端が前記第１１抵抗の第１端に共通接続され、前記第１０抵抗の第２端と前記第１１抵抗の第２端が共通接地され、前記第８抵抗の第２端と前記第２ダイオードのアノードが前記第１トランスの第１出力端に共通接続され、前記第１トランスの第２出力端と前記第４ダイオードのアノードが前記第７コンデンサの第１端に共通接続され、前記第７コンデンサの第２端が前記第１４抵抗の第１端に接続され、前記第４ダイオードのカソード、前記第８コンデンサの第１端及び前記第１５抵抗の第１端が前記緊急給電回路に共通接続され、前記第１トランスの第３出力端、前記第８コンデンサの第２端及び第１５コンデンサの第２端が共通接地される、ことを特徴とする請求項１に記載の緊急監視回路。
【請求項８】
給電電源ポート、
少なくとも１つの負荷モジュールと、
それぞれ前記給電電源ポートと前記負荷モジュールに接続される請求項１〜７のいずれか１項に記載の緊急監視回路とを含む、ことを特徴とする緊急監視装置。
【請求項９】
前記負荷モジュールは、ＬＥＤ光源、アラーム、ファン、テレビ、洗濯機、給湯器及び電気炊飯器のうちのいずれか一つである、ことを特徴とする請求項８に記載の緊急監視装置。
【請求項１０】
前記負荷モジュールは、
前記給電電源に接続され、前記給電電源により提供される交流電圧信号を負荷直流電圧信号に変換するための負荷整流回路と、
前記負荷整流回路に接続され、前記負荷直流電圧信号を受信し、前記負荷直流電圧信号に基づいて負荷定電圧給電信号を生成するための負荷定電圧給電回路と、
前記負荷定電圧給電回路に接続され、前記負荷定電圧給電信号を受信し、前記負荷定電圧給電信号に基づいて負荷緊急給電信号を出力するための負荷緊急給電回路と、
前記負荷整流回路に接続され、前記負荷直流電圧信号を収集し、前記負荷直流電圧信号を検出して負荷パワーダウン検出信号を生成するための負荷パワーダウン検出回路と、
前記負荷パワーダウン検出回路に接続され、前記負荷パワーダウン検出信号を受信し、前記負荷パワーダウン検出信号に基づいて負荷イネーブル制御信号及び緊急回路フィードバック信号を生成するための負荷主制御回路と、
それぞれ前記負荷主制御回路、前記負荷定電圧給電回路及び前記負荷緊急給電回路に接続され、前記負荷イネーブル制御信号、前記負荷緊急給電信号及び前記負荷定電圧給電信号を受信し、負荷イネーブル制御信号に基づいて動作電圧信号を出力して、前記負荷主制御回路に給電するための負荷昇圧回路と、
前記負荷主制御回路と前記緊急監視回路に接続され、前記緊急回路フィードバック信号を受信し、前記緊急回路フィードバック信号に基づいて前記緊急監視回路にＲＦフィードバック信号を送信するための負荷ＲＦ回路とを含む、ことを特徴とする請求項８に記載の緊急監視装置。
【考案の詳細な説明】
【技術分野】
【０００１】
本願は、緊急回路分野に属し、特に緊急監視回路及び緊急監視装置に関する。
【背景技術】
【０００２】
人々の生活水準の向上に伴い、人々の家に電器の種類や数もますます多くなり、不意の停電又は電源切断のときによく発生する電器故障などのセキュリティリスクを回避するために、一般的に回路に緊急回路を設けることで、不意の停電又は電源切断のとき、不意のセキュリティインシデントの発生を防止する。
しかしながら、従来の緊急回路は、一般的にセンターコンソールを用いて回線を介して負荷に緊急信号を送信するため、緊急監視がタイムリーではなく、監視回線が複雑であるなどの問題が存在する。
【考案の概要】
【考案が解決しようとする課題】
【０００３】
本願は、従来緊急回路に存在する、緊急監視がタイムリーではなく、監視回線が複雑であるという問題を解決するために、緊急監視回路及び緊急監視装置を提供することを目的とする。
【課題を解決するための手段】
【０００４】
本願の実施例の第１態様は、給電電源と少なくとも１つの負荷モジュールに接続される緊急監視回路であって、
上記給電電源に接続され、上記給電電源により提供される交流電圧信号を直流電圧信号に変換するための整流回路と、
上記整流回路に接続され、上記直流電圧信号を受信し、上記直流電圧信号に基づいて定電圧給電信号を生成するための定電圧給電回路と、
上記定電圧給電回路に接続され、上記定電圧給電信号を受信し、上記定電圧給電信号に基づいて緊急給電信号を出力するための緊急給電回路と、
上記整流回路に接続され、上記直流電圧信号を収集し、上記直流電圧信号を検出してパワーダウン検出信号を生成するためのパワーダウン検出回路と、
上記パワーダウン検出回路に接続され、上記パワーダウン検出信号を受信し、上記パワーダウン検出信号に基づいてイネーブル制御信号及び負荷制御信号を生成するための主制御回路と、
それぞれ上記主制御回路、定電圧給電回路及び上記緊急給電回路に接続され、上記イネーブル制御信号を受信し、イネーブル制御信号に基づいて動作電圧信号を出力して、上記主制御回路に給電するための昇圧回路と、
上記主制御回路及び上記負荷モジュールに接続され、上記負荷制御信号を受信し、上記負荷モジュールが緊急電源を起動させるように制御するように、上記負荷制御信号に基づいて上記負荷モジュールにＲＦ制御信号を送信するためのＲＦ回路とを含む、緊急監視回路を提供する。
【０００５】
選択的に、上記パワーダウン検出回路は、
上記整流回路に接続され、上記直流電圧信号を受信し、上記直流電圧信号に対して分圧処理を行って分圧信号を生成するための分圧ユニットと、
上記分圧ユニット及び上記昇圧回路に接続され、上記分圧信号に基づいて上記パワーダウン検出信号を生成するためのスイッチユニットとを含む。
【０００６】
選択的に、上記緊急給電回路は、
緊急給電信号を提供するためのバッテリーユニットと、
上記定電圧給電回路に接続され、上記定電圧給電信号を受信し、上記定電圧給電信号に基づいて上記バッテリーユニットに充電するための充電管理ユニットとを含む。
【０００７】
本願の第２態様は、
給電電源ポートと、
少なくとも１つの負荷モジュールと、
それぞれ上記給電電源ポートと上記負荷モジュールに接続される上記いずれか１項に記載の緊急監視回路とを含む、緊急監視装置を提供する。
選択的に、上記負荷モジュールは、ＬＥＤ光源、アラーム、ファン、テレビ、洗濯機、給湯器及び電気炊飯器のうちのいずれか一つである。
【０００８】
選択的に、上記負荷モジュールは、
上記給電電源に接続され、上記給電電源により提供される交流電圧信号を負荷直流電圧信号に変換するための負荷整流回路と、
上記負荷整流回路に接続され、上記負荷直流電圧信号を受信し、上記負荷直流電圧信号に基づいて負荷定電圧給電信号を生成するための負荷定電圧給電回路と、
上記負荷定電圧給電回路に接続され、上記負荷定電圧給電信号を受信し、上記負荷定電圧給電信号に基づいて負荷緊急給電信号を出力するための負荷緊急給電回路と、
上記負荷整流回路に接続され、上記負荷直流電圧信号を収集し、上記負荷直流電圧信号を検出して負荷パワーダウン検出信号を生成するための負荷パワーダウン検出回路と、
上記負荷パワーダウン検出回路に接続され、上記負荷パワーダウン検出信号を受信し、上記負荷パワーダウン検出信号に基づいて負荷イネーブル制御信号及び緊急回路フィードバック信号を生成するための負荷主制御回路と、
それぞれ上記負荷主制御回路、上記負荷定電圧給電回路及び上記負荷緊急給電回路に接続され、上記負荷イネーブル制御信号、上記負荷緊急給電信号及び上記負荷定電圧給電信号を受信し、負荷イネーブル制御信号に基づいて動作電圧信号を出力して、上記負荷主制御回路に給電するための負荷昇圧回路と、
上記負荷主制御回路と上記緊急監視回路に接続され、上記緊急回路フィードバック信号を受信し、上記緊急回路フィードバック信号に基づいて上記緊急監視回路にＲＦフィードバック信号を送信するための負荷ＲＦ回路とを含む。
【考案の効果】
【０００９】
本願の実施例は、給電電源により提供される交流電圧信号を整流回路によって直流電圧信号に変換し、そして、定電圧給電回路を用いて定電圧給電信号を生成し、緊急給電回路が定電圧給電信号に基づいて緊急給電信号を出力し、パワーダウン検出回路が直流電圧信号を検出してパワーダウン検出信号を生成し、主制御回路がパワーダウン検出信号に基づいてイネーブル制御信号及び負荷制御信号を生成し、昇圧回路がイネーブル制御信号に基づいて動作電圧信号を出力して主制御回路に給電し、負荷モジュールが緊急電源を起動させるように制御するように、ＲＦ回路が負荷制御信号に基づいて負荷モジュールにＲＦ制御信号を送信することによって、従来の緊急回路に存在する、緊急監視がタイムリーではなく、監視回線が複雑であるという問題を解決する、緊急監視回路及び緊急監視装置を提供する。
【図面の簡単な説明】
【００１０】
【図１】本願の実施例により提供される緊急監視回路の回路構造模式図である。
【図２】本願の実施例により提供されるパワーダウン検出回路の回路構造模式図である。
【図３】本願の実施例により提供される緊急給電回路の回路構造模式図である。
【図４】本願の実施例により提供される整流回路の回路構造模式図である。
【図５】本願の実施例により提供される定電圧給電回路の回路構造模式図である。
【図６】本願の実施例により提供される主制御回路の回路構造模式図である。
【図７】本願の実施例により提供される昇圧回路の回路構造模式図である。
【図８】本願の実施例により提供される負荷モジュールの回路構造模式図である。
【考案を実施するための形態】
【００１１】
本願が解決しようとする技術課題、技術的解決手段及び有益な効果をよりはっきりかつ明瞭にするために、以下、図面及び実施例を参照しながら、本願についてさらに詳細に説明する。なお、ここで説明される具体的な実施例は、本願を解釈するためのものにすぎず、本願を限定するためのものではないことを理解すべきである。
【００１２】
説明すべきなのは、素子が別の素子に「固定されている」又は「設けられる」というのは、別の素子に直接的に位置することも、当該別の素子に間接的に位置することもできる。ある素子が別の素子に「接続されている」というのは、別の素子に直接的に接続することも、当該別の素子に間接的に接続することもできる。
【００１３】
理解すべきなのは、用語「長さ」、「幅」、「上」、「下」、「前」、「後」、「左」、「右」、「垂直」、「水平」、「頂」、「底」「内」、「外」などが示す方位又は位置関係は、図面に示す方位又は位置関係に基づいて、本願の説明を便利化又は簡単化にするために使用されるものであり、示された装置又は素子が特定な方位を有し、特定な方位で構造及び操作しなければならないことを指示したり示唆したりするものではないので、本願に対する限定と理解してはいけない。
【００１４】
また、「第１」、「第２」という用語は、説明するためのものに過ぎず、相対的な重要性を指示や示唆するか、又は指示された技術的特徴の数を黙示的に表示するものとして理解してはいけない。これによって、「第１」、「第２」として限定されている特徴は、１つ又はより多くの当該特徴を明示的または暗黙的に含み得る。本願の説明において、特に限定されていない限り、「複数」とは、２つ又は２つ以上を意味する。
【００１５】
本願の実施例は、緊急監視回路を提供し、図１に示すように、本実施例における緊急監視回路は、給電電源１１と少なくとも１つの負荷モジュール１２に接続され、具体的には、本実施例における緊急監視回路は、整流回路２１と、定電圧給電回路２２と、緊急給電回路２３と、パワーダウン検出回路２４と、主制御回路２５と、昇圧回路２６と、ＲＦ回路２７とを含む。そのうち、整流回路２１は、上記給電電源１１に接続され、上記給電電源１１により提供される交流電圧信号を直流電圧信号に変換するために用いられ、定電圧給電回路２２は、上記整流回路２１に接続され、上記直流電圧信号を受信し、上記直流電圧信号に基づいて定電圧給電信号を生成するために用いられ、緊急給電回路２３は、上記定電圧給電回路２２に接続され、上記定電圧給電信号を受信し、上記定電圧給電信号に基づいて緊急給電信号を出力するために用いられ、パワーダウン検出回路２４は、上記整流回路２１に接続され、上記直流電圧信号を収集し、上記直流電圧信号を検出してパワーダウン検出信号を生成するために用いられ、主制御回路２５は、上記パワーダウン検出回路２４に接続され、上記パワーダウン検出信号を受信し、上記パワーダウン検出信号に基づいてイネーブル制御信号及び負荷制御信号を生成するために用いられ、昇圧回路２６は、それぞれ上記主制御回路２５、上記定電圧給電回路２２及び上記緊急給電回路２３に接続され、上記イネーブル制御信号、上記緊急給電信号及び上記定電圧給電信号を受信し、イネーブル制御信号に基づいて動作電圧信号を出力して、上記主制御回路２５に給電するために用いられ、ＲＦ回路２７は、上記主制御回路２５及び上記負荷モジュール１２に接続され、上記負荷制御信号を受信し、上記負荷モジュール１２が緊急電源を起動させるように制御するように、上記負荷制御信号に基づいて上記負荷モジュール１２にＲＦ制御信号を送信するために用いられる。
【００１６】
本実施例では、パワーダウン検出回路２４は、給電電源１１がオンになるとき、整流回路２１における直流電圧信号を収集し、直流電圧信号にパワーダウンが生じたか否かを検出し、直流電圧信号にパワーダウンが生じたことを検出し、すなわち直流電圧信号の電圧が低下し又は直流電圧信号の電圧が０Ｖである場合、主制御回路２５へ対応するパワーダウン検出信号を送信し、このとき、主制御回路２５が昇圧回路２６にイネーブル制御信号を送信し、昇圧回路２６が起動し、昇圧信号を生成して主制御回路２５に給電し、同時に主制御回路２５がＲＦ回路２７に負荷制御信号を送信し、ＲＦ回路２７が該負荷制御信号を対応するＲＦ制御信号に変換するとともに該ＲＦ制御信号を緊急監視回路と通信接続が確立されたすべての負荷モジュール１２に送信することにより、複数の負荷モジュール１２に緊急電源を起動させ、緊急回路に存在する、緊急監視がタイムリーではなく、監視回線が複雑であるという問題を解決する。
【００１７】
１つの実施例では、図２に示すように、本実施例におけるパワーダウン検出回路２４は、分圧ユニット２４１とスイッチユニット２４２とを含み、そのうち、分圧ユニット２４１は、上記整流回路２１に接続され、上記直流電圧信号を受信し、上記直流電圧信号に対して分圧処理を行い、分圧信号を生成するために用いられ、スイッチユニット２４２は、上記分圧ユニット２４１及び上記昇圧回路２６に接続され、上記分圧信号に基づいて上記パワーダウン検出信号を生成するために用いられる。
【００１８】
本実施例では、分圧ユニット２４１によって直流電圧信号を検出し、該直流電圧信号に対して分圧処理を行い、対応する分圧信号を生成し、スイッチユニット２４２が該分圧信号に基づいてオン又はオフになり、対応するパワーダウン検出信号Ｅｔｘを生成し、たとえば、直流電圧信号が正常に出力されると、分圧ユニット２４１により生成される分圧信号がハイレベル信号であり、このとき、スイッチユニット２４２がオンになり、パワーダウン検出信号がローレベル信号であり、主制御回路２５が該パワーダウン検出信号に基づいて緊急応答を起動せず、昇圧回路２６に対応するイネーブル制御信号を送信し、昇圧回路２６が該イネーブル制御信号に基づいて定電圧給電信号を入力電圧として選択し、それに対して電圧調整を行うことで、主制御回路２５に給電する。
【００１９】
さらに、直流電圧信号の出力が異常であると、分圧ユニット２４１により生成される分圧信号がローレベル信号であり、このとき、スイッチユニット２４２がオフになり、パワーダウン検出信号がハイレベル信号であり、主制御回路２５が該パワーダウン検出信号に基づいて緊急応答を起動し、昇圧回路２６に対応するイネーブル制御信号を送信し、昇圧回路２６が該イネーブル制御信号に基づいて緊急給電信号を入力電圧として選択し、それに対して電圧調整を行い、主制御回路２５に給電することで、給電電源１１がオフしても主制御回路２５が依然として正常に動作でき、ＲＦ回路２７によって負荷モジュール１２を遠隔制御することを確保する。
【００２０】
１つの実施例では、図２に示すように、上記分圧ユニット２４１は、第３抵抗Ｒ３と、第４抵抗Ｒ４と、第４コンデンサＣ４と、第１ツェーナダイオードＺＤ１とを含み、上記第３抵抗Ｒ３の第１端が上記整流回路２１に接続され、上記第３抵抗Ｒ３の第２端、上記第１ツェーナダイオードＺＤ１のカソード、上記第４抵抗Ｒ４の第１端及び上記第４コンデンサＣ４の第１端が上記スイッチユニット２４２に共通接続され、上記第１ツェーナダイオードＺＤ１のアノード、上記第４コンデンサＣ４の第２端及び上記第４抵抗Ｒ４の第２端が共通接地される。
【００２１】
本実施例では、第３抵抗Ｒ３と第４抵抗Ｒ４は、分圧回路を構成し、直流電圧信号に対して分圧処理を行い、第１ツェーナダイオードＺＤ１は、分圧信号に対して電圧安定化処理を行うことで、整流回路２１により出力される直流電圧信号が高すぎることによるスイッチユニット２４２におけるトランジスタの焼損を回避する。
【００２２】
１つの実施例では、図２に示すように、上記スイッチユニット２４２は、第５抵抗Ｒ５と第１スイッチトランジスタＱ１とを含み、上記第５抵抗Ｒ５の第１端が上記昇圧回路２６に接続され、上記第５抵抗Ｒ５の第２端と上記第１スイッチトランジスタＱ１の電流入力端が上記主制御回路２５に共通接続され、上記第１スイッチトランジスタＱ１の制御端が上記分圧ユニット２４１に接続され、上記第１スイッチトランジスタＱ１の電流出力端が接地される。
【００２３】
本実施例では、第１スイッチトランジスタＱ１の制御端の電圧を制御することによって、パワーダウン検出信号の電圧を制御し、給電電源１１の出力が正常であると、第１スイッチトランジスタＱ１の制御端がハイレベル信号であり、パワーダウン検出信号の電圧がローレベル信号であり、給電電源１１の出力が異常であると、第１スイッチトランジスタＱ１の制御端がローレベル信号であり、パワーダウン検出信号の電圧がハイレベル信号である。
【００２４】
本実施例では、第５抵抗Ｒ５の第１端が昇圧回路２６の電圧出力端ＶＣＣ１に接続され、昇圧回路２６が定電圧給電信号と緊急給電信号を入力電圧として用いるので、定電圧給電信号の出力が停止されるとき、緊急給電信号を入力電圧とし、定電圧給電信号が正常に出力されると、定電圧給電信号を入力電圧とし、それにより、パワーダウン検出モジュール２４が停電により影響されず、整流回路２１により出力される直流電圧信号をリアルタイムに監視し、監視がタイムリーではないという問題を回避する。
【００２５】
１つの実施例では、第１スイッチトランジスタＱ１は、ＮＰＮ型トランジスタである。
１つの実施例では、図３に示すように、上記緊急給電回路２３は、バッテリーユニット２３１と充電管理ユニット２３２とを含み、そのうち、バッテリーユニット２３１は、緊急給電信号を提供するために用いられ、充電管理ユニット２３２は、上記定電圧給電回路２２に接続され、上記定電圧給電信号を受信し、上記定電圧給電信号に基づいて上記バッテリーユニット２３１に充電するために用いられる。
【００２６】
本実施例では、充電管理ユニット２３２は、受信される定電圧給電信号に基づいてバッテリーユニット２３１に充電する。
１つの実施例では、図３に示すように、バッテリーユニット２３１は、バッテリーパックＢＡＴ１を含み、バッテリーパックＢＡＴ１の正極が充電管理ユニット２３２の電圧出力端に接続され、バッテリーパックＢＡＴ１の負極が接地される。
本実施例では、バッテリーパックＢＡＴ１は、緊急電源として、給電電源１１がパワーダウンしたとき、緊急給電信号を提供するために用いられる。
【００２７】
１つの実施例では、バッテリーパックＢＡＴ１は、リチウムバッテリーパックであってもよい。
１つの実施例では、図３に示すように、充電管理ユニットは、充電管理チップＵ３と、第２スイッチトランジスタＱ２と、第１６抵抗Ｒ１６と、第１７抵抗Ｒ１７と、第１８抵抗Ｒ１８と、第１９抵抗Ｒ１９と、第２０抵抗Ｒ２０と、第２１抵抗Ｒ２１と、第５ダイオードＤ５と、第６ダイオードＤ６と、第９コンデンサＣ９と、第１０コンデンサＣ１０と、第１１コンデンサＣ１１と、第２インダクタンスＬ２と、サーミスターＮＴとを含み、第５ダイオードＤ５のアノードと第２スイッチトランジスタＱ２の電流入力端が定電圧給電回路２２に共通接続され、第５ダイオードＤ５のカソードが第１６抵抗Ｒ１６の第１端に接続され、第２スイッチトランジスタＱ２の電流出力端、第１７抵抗Ｒ１７の第１端、第１８抵抗Ｒ１８の第１端及び第９コンデンサＣ９の第１端が充電管理チップＵ３の入力端ＩＮに共通接続され、第１８抵抗Ｒ１８の第２端が第６ダイオードＤ６のアノードに接続され、第６ダイオードＤ６のカソード、第２スイッチトランジスタＱ２の制御端及び第１７抵抗Ｄ１７の第２端が充電管理チップＵ３の充電状態表示ピンＳＴＡＴに共通接続され、充電管理チップＵ３の充電時間ピンＴＩＭが第１０コンデンサＣ１０の第１端に接続され、充電管理チップＵ３のプルダウン信号ピンＣＥＬと第１０コンデンサＣ１０の第２端が共通接地され、充電管理チップＵ３の過熱保護ピンＮＴＣ、第１６抵抗Ｒ１６の第２端、サーミスターＮＴの第１端及び第２１抵抗Ｒ２１の第１端が共通接続され、サーミスターＮＴの第２端、第２１抵抗Ｒ２１の第２端及び第１１コンデンサＣ１１の第１端が共通接地され、充電管理チップＵ３の電圧出力ピンＢＡＴとバッテリーユニット２３１の正極が昇圧回路２６に共通接続され、充電管理チップの充電電流検出ピンＲＳ、第２インダクタンスＬ２の第１端及び第１９抵抗Ｒ１９の第１端が第２０抵抗Ｒ２０の第１端に共通接続され、第１９抵抗Ｒ１９の第２端と第２０抵抗Ｒ２０の第２端が充電管理チップＵ３の電圧出力ピンＢＡＴに共通接続され、充電管理チップＵ３の信号切替ピンＬＸが第２インダクタンスＬ２の第２端に接続される。
【００２８】
１つの実施例では、第２スイッチトランジスタＱ２は、Ｎ型ＭＯＳトランジスタであってもよい。
１つの実施例では、充電管理チップの型番は、ＳＹ６９１２であってもよい。
１つの実施例では、図４に示すように、上記整流回路２１は、第１抵抗Ｒ１と、第１コンデンサＣ１と、第１ダイオードＤ１と、第２コンデンサＣ２と、第２抵抗Ｒ２と、第１インダクタンスＬ１と、第３コンデンサＣ３と、整流チップＵ１とを含み、上記第１抵抗Ｒ１の第１端が上記給電電源１１の第１端に接続され、上記第１抵抗Ｒ１の第２端と上記第１コンデンサＣ１の第１端が上記整流チップＵ１の第１入力端ＡＣ１に共通接続され、上記整流チップＵ１の第２入力端ＡＣ２と上記第１コンデンサＣ１の第２端が上記給電電源１１の第２端に共通接続され、上記整流チップＵ１の第１出力端Ｖ＋と上記第１ダイオードＤ２のアノードが上記パワーダウン検出回路２４に共通接続され、上記第１ダイオードＤ１のカソード、上記第２コンデンサＣ２の第１端、上記第２抵抗Ｒ２の第１端が上記第１インダクタンスＬ１の第１端に共通接続され、上記第１インダクタンスＬ１の第２端、上記第２抵抗Ｒ２の第２端及び上記第３コンデンサＣ３の第１端が上記定電圧給電回路２２に共通接続され、上記第３コンデンサＣ３の第２端、上記第２コンデンサＣ３の第２端及び上記整流チップＵ１の第２出力端が共通接地される。
【００２９】
１つの実施例では、整流チップＵ１は、整流ブリッジであってもよい。
１つの実施例では、図５に示すように、上記定電圧給電回路２２は、第６抵抗Ｒ６と、第７抵抗Ｒ７と、第８抵抗Ｒ８と、第９抵抗Ｒ９と、第１０抵抗Ｒ１０と、第１１抵抗Ｒ１１と、第１２抵抗Ｒ１２と、第１３抵抗Ｒ１３と、第１４抵抗Ｒ１４と、第１５抵抗Ｒ１５と、第２ダイオードＤ２と、第５コンデンサＣ５と、第６コンデンサＣ６と、第７コンデンサＣ７と、第８コンデンサＣ８と、第３ダイオードＤ３と、第４ダイオードＤ４と、第１トランスＴ１と、電源管理チップＵ２とを含み、上記第６抵抗Ｒ６の第１端、上記第６コンデンサＣ６の第１端、上記第１３抵抗Ｒ１３の第１端及び上記第１トランスＴ１の第１入力端が上記整流回路２１に共通接続され、上記第６コンデンサＣ６の第２端、上記第１３抵抗Ｒ１３の第２端が上記第１２抵抗Ｒ１２の第１端に共通接続され、上記第１２抵抗Ｒ１２の第２端が上記第３ダイオードＤ３のカソードに接続され、上記第３ダイオードＤ３のアノードと上記第１トランスＴ１の第２入力端が上記電源管理チップＵ２の出力端ＤＲＡＩＮに共通接続され、上記第６抵抗Ｒ６の第２端、上記第７抵抗Ｒ７の第１端及び上記第５コンデンサＣ５の第１端が上記電源管理チップＵ２の電源端ＶＣＣに共通接続され、第７抵抗Ｒ７の第２端が上記ダイオードＤ２のカソードに接続され、上記第５コンデンサＣ５の第２端と上記電源管理チップＵ２の接地端ＧＮＤが共通接地され、上記電源管理チップＵ２の電圧サンプリング端ＶＳＥＮと上記第８抵抗Ｒ８の第１端が上記第９抵抗Ｒ９の第１端に共通接続され、上記第９抵抗Ｒ９の第２端が接地され、上記電源管理チップＵ２の電流サンプリング端ＩＳＥＮと上記第１０抵抗Ｒ１０の第１端が上記第１１抵抗Ｒ１１の第１端に共通接続され、上記第１０抵抗Ｒ１０の第２端と上記第１１抵抗Ｒ１１の第２端が共通接地され、上記第８抵抗Ｒ８の第２端と上記第２ダイオードＤ２のアノードが上記第１トランスＴ１の第１出力端に共通接続され、上記第１トランスＴ２の第２出力端と上記第４ダイオードＤ４のアノードが上記第７コンデンサＣ７の第１端に共通接続され、上記第７コンデンサＣ７の第２端が上記第１４抵抗Ｒ１４の第１端に接続され、上記第４ダイオードＤ４のカソード、上記第８コンデンサＣ８の第１端及び上記第１５抵抗Ｒ１５の第１端が上記緊急給電回路２３に共通接続され、上記第１トランスＴ１の第３出力端、上記第８コンデンサＣ８の第２端及び上記第１５コンデンサＣ１５の第２端が共通接地される。
【００３０】
１つの実施例では、電源管理チップＵ２の型番は、ＳＹ５０１３１Ａである。
１つの実施例では、図６に示すように、主制御回路２５は、マスターチップＵ４と第１８コンデンサＣ１８とを含み、そのうち、マスターチップＵ４の電源ピンＶＤＤと第１８コンデンサＣ１８の第１端が昇圧回路２６の電圧出力ピンＶＣＣ１に共通接続され、マスターチップＵ４の出力端がＲＦ回路２７に接続され、マスターチップＵ４のイネーブル信号出力ピンＥＮが昇圧回路２６のイネーブル信号入力端ＥＮに接続され、マスターチップＵ４のパワーダウン検出信号入力ピンＥｔｘがパワーダウン検出回路２４に接続され、マスターチップＵ４の接地ピンＶＳＳ及び第１８コンデンサＣ１８の第２端が共通接地される。
【００３１】
１つの実施例では、マスターチップＵ４の型番は、ＨＲ７Ｐ１７９であってもよい。
１つの実施例では、ＲＦ回路２７は、ＲＦチップであってもよい。
１つの実施例では、図７に示すように、本実施例における昇圧回路２６は、電源管理チップＵ５と、第３インダクタンスＬ３と、第１２コンデンサＣ１２と、第２３抵抗Ｃ２３と、第２４抵抗Ｒ２４と、第１３コンデンサＣ１３と、第１４コンデンサＣ１４と、第６ダイオードＤ６と、第７ダイオードＤ７と、第１５コンデンサＣ１５と、第１６コンデンサＣ１６と、第１７コンデンサＣ１７と、電圧降下チップＵ６とを含み、第３インダクタンスＬ３の第１端、電源管理チップＵ５の入力ピンＩＮ及び第１２コンデンサＣ１２の第１端が緊急給電回路２３に共通接続され、第３インダクタンスＬ３の第２端が電源管理チップＵ５の信号切替ピンＬＸに接続され、電源管理チップＵ５の出力ピンＯＵＴ、第２３抵抗Ｒ２３の第１端、第１３コンデンサＣ１３の第１端、第１４コンデンサＣ１４の第１端及び第６ダイオードＤ６のアノードが共通接続され、電源管理チップＵ５のイネーブル信号ピンＥＮが主制御回路２５のイネーブル信号出力端に接続され、電源管理チップＵ５のフィードバック信号ピンＦＢ、第２３抵抗Ｒ２３の第２端、第１３コンデンサＣ１３の第２端及び第２４抵抗Ｒ２４の第１端が共通接続され、第１４コンデンサＣ１４の第２端、第２４抵抗Ｒ２４の第２端、第１２コンデンサＣ１２の第２端及び電源管理チップＵ５の接地ピンＧＮＤが共通接地され、第６ダイオードＤ６のカソード、第７ダイオードＤ７のカソード及び第１５コンデンサＣ１５の第１端が電圧降下チップＵ６の入力ピンＩＧに共通接続され、電圧降下チップＵ６の出力ピンＯ、第１６コンデンサＣ１６の第１端及び第１７コンデンサＣ１７の第１端が主制御回路２５の電源端に共通接続され、第１５コンデンサＣ１５の第２端、第１６コンデンサＣ１６の第２端及び第１７コンデンサＣ１７の第２端が共通接地される。
【００３２】
本実施例では、電源管理チップＵ５及びその周辺回路は、緊急給電回路２３により提供される緊急給電信号に対して昇圧処理を行い、第６ダイオードＤ６を介して電圧降下チップＵ６に出力するために用いられ、同時に、定電圧給電回路２２が第７ダイオードＤ７を介して定電圧給電信号を電圧降下チップＵ６に提供し、給電電源１１がパワーダウンすると、定電圧給電回路２２が出力を停止し、このとき、主制御回路２５により提供されるイネーブル制御信号がハイレベル信号であり、該イネーブル制御信号により、電源管理チップＵ５が起動し、緊急給電回路２３により提供される緊急給電信号に対して昇圧処理を行って電圧降下チップＵ６に提供することにより、対応する動作電圧信号を出力して主制御回路２５に給電し、給電電源１１が正常に動作する場合、主制御回路２５により提供されるイネーブル制御信号がローレベル信号であり、該イネーブル制御信号により、電源管理チップＵ５が動作を停止し、このとき、定電圧給電回路２２が正常に動作し、定電圧給電信号を電圧降下チップＵ６の入力電圧として第７ダイオードＤ７を介して電圧降下チップＵ６に出力し、それにより、対応する動作電圧信号を出力して主制御回路２５に給電する。
【００３３】
１つの実施例では、電源管理チップＵ５の型番は、ＳＹ７０７２Ａである。
１つの実施例では、本実施例は、緊急監視装置を提供し、具体的には、本実施例における緊急監視装置は、給電電源ポートと、少なくとも１つの負荷モジュールと、それぞれ上記給電電源ポートと上記負荷モジュールに接続される上記実施例のいずれか一つに記載の緊急監視回路とを含む。
１つの実施例では、上記負荷モジュールは、ＬＥＤ光源、アラーム、ファン、テレビ、洗濯機、給湯器及び電気炊飯器のうちのいずれか一つである。
【００３４】
１つの実施例では、図８に示すように、上記負荷モジュールは、負荷整流回路３１と、負荷定電圧給電回路３２と、負荷緊急給電回路３３と、負荷パワーダウン検出回路３４と、負荷主制御回路３５と、負荷昇圧回路３６と、負荷ＲＦ回路３７とを含み、具体的には、負荷整流回路３１は、上記給電電源１１に接続され、上記給電電源１１により提供される交流電圧信号を負荷直流電圧信号に変換するために用いられ、負荷定電圧給電回路３２は、上記負荷整流回路３１に接続され、上記負荷直流電圧信号を受信し、上記負荷直流電圧信号に基づいて負荷定電圧給電信号を生成するために用いられ、負荷緊急給電回路３３は、上記負荷定電圧給電回路３２に接続され、上記負荷定電圧給電信号を受信し、上記負荷定電圧給電信号に基づいて負荷緊急給電信号を出力するために用いられ、負荷パワーダウン検出回路３４は、上記負荷整流回路３１に接続され、上記負荷直流電圧信号を収集し、上記負荷直流電圧信号を検出して負荷パワーダウン検出信号を生成するために用いられ、負荷主制御回路３５は、上記負荷パワーダウン検出回路３４に接続され、上記負荷パワーダウン検出信号を受信し、上記負荷パワーダウン検出信号に基づいて負荷イネーブル制御信号及び緊急回路フィードバック信号を生成するために用いられ、負荷昇圧回路３６は、それぞれ上記負荷主制御回路３５、上記負荷定電圧給電回路３２及び上記負荷緊急給電回路３３に接続され、上記負荷イネーブル制御信号、上記負荷緊急給電信号及び上記負荷定電圧給電信号を受信し、負荷イネーブル制御信号に基づいて動作電圧信号を出力して、上記負荷主制御回路３５に給電するために用いられ、負荷ＲＦ回路３７は、上記負荷主制御回路３５及び上記緊急監視回路２０に接続され、上記緊急回路フィードバック信号を受信し、上記緊急回路フィードバック信号に基づいて上記緊急監視回路にＲＦフィードバック信号を送信するために用いられる。
【００３５】
１つの実施例では、負荷パワーダウン検出回路３４は、負荷整流回路３１により出力される負荷直流電圧信号をサンプリングし、サンプリング結果に基づいて負荷パワーダウン検出信号を生成し、該負荷パワーダウン検出信号により、負荷整流回路３１にパワーダウン現象が生じたことを検出した場合、このとき、負荷主制御回路３５は、該負荷パワーダウン検出信号に基づいて負荷昇圧回路３６に負荷イネーブル制御信号を送信することで、負荷緊急給電回路３３におけるエネルギー貯蔵バッテリーを起動制御し、エネルギー貯蔵バッテリーが負荷緊急給電信号を提供し、負荷昇圧回路３６は、該負荷緊急給電信号を入力電圧として電圧変換処理を行って、負荷主制御回路３５を動作駆動し、さらに、このとき、負荷昇圧回路３６は、さらに、負荷を動作駆動するために用いられ、それにより、給電電源１１からの給電が停止されても、負荷が依然として正常に動作でき、負荷が急に停電することによるユーザの損失を回避する。
【００３６】
１つの実施例では、負荷整流回路３１の回路構造は、上記実施例のいずれか一つにおける整流回路２１の回路構造と同様であってもよく、負荷定電圧給電回路３２は、上記実施例のいずれか一つにおける定電圧給電回路２２の回路構造と同様であってもよく、負荷緊急給電回路３３は、上記実施例のいずれか一つにおける緊急給電回路２３の回路構造と同様であってもよく、負荷パワーダウン検出回路３４は、上記実施例のいずれか一つにおけるパワーダウン検出回路２４の回路構造と同様であってもよく、負荷主制御回路３５は、上記実施例のいずれか一つにおける主制御回路２５の回路構造と同様であってもよく、負荷昇圧回路３６は、上記実施例のいずれか一つにおける昇圧回路２６の回路構造と同様であってもよく、負荷ＲＦ回路３７は、上記実施例のいずれか一つにおけるＲＦ回路２７の回路構造と同様であってもよい。
【００３７】
１つの実施例では、緊急監視回路２０は、上記実施例のいずれか一つにおける緊急監視回路であってもよい。
１つの実施例では、負荷ＲＦ回路３７は、プリセットされたワイヤレス・トランザクション・プロトコル、たとえば、ｚｉｇｂｅｅ、ＢＬＥ及びＷＩＦＩなどのワイヤレス・トランザクション・プロトコルを介して緊急監視回路２０とペアリングする。
さらに、１つの緊急監視回路２０は、複数の負荷ＲＦ回路３７と同時に通信接続を確立することができ、たとえば、ＡＰＰを介して複数の負荷ＲＦ回路３７と通信接続を確立し、それにより、１つの緊急監視回路２０を用いるだけで、複数の負荷モジュールに対する制御を実現し、負荷を遠隔制御するという目的を達成することができる。
【００３８】
本願の実施例は、緊急監視回路及び緊急監視装置を提供し、給電電源により提供される交流電圧信号を整流回路によって直流電圧信号に変換し、そして、定電圧給電回路を用いて定電圧給電信号を生成し、緊急給電回路が定電圧給電信号に基づいて緊急給電信号を出力し、パワーダウン検出回路が直流電圧信号を検出してパワーダウン検出信号を生成し、主制御回路がパワーダウン検出信号に基づいてイネーブル制御信号及び負荷制御信号を生成し、昇圧回路がイネーブル制御信号に基づいて動作電圧信号を出力して、主制御回路に給電し、負荷モジュールが緊急電源を起動させるように制御するように、ＲＦ回路が負荷制御信号に基づいて負荷モジュールにＲＦ制御信号を送信することによって、従来の緊急回路に存在する、緊急監視がタイムリーではなく、監視回線が複雑であるという問題を解決する。
【００３９】
当業者であれば、説明の便宜および簡潔さのために、上記各機能ユニット、モジュールの分割のみを例として説明するが、実際に使用される際、需要に応じて上記機能の割り当てを異なる機能ユニット、モジュールが完了することができ、すなわち上記装置の内部構造を異なる機能ユニット又はモジュールに分割して、以上説明された全部又は一部の機能を完了することをはっきりと理解できる。実施例における各機能ユニット、モジュールは、１つの処理ユニットに集積されてもよく、各ユニットは、独立して物理的に存在してもよく、２つ又は２つ以上のユニットは、１つのユニットに集積されてもよく、上記集積されたユニットは、ハードウェアの形態で実現されてもよく、ソフトウェア機能ユニットの形態で実現されてもよい。なお、各機能ユニット、モジュールの特定の名称は、互いに区別するためのものにすぎず、本願の特許請求の範囲を限定するためのものではない。上記システムにおけるユニット、モジュールの具体的な作業プロセスは、前述した方法の実施例における対応プロセスを参照することができ、ここで繰り返し述べない。
【００４０】
上記実施例では、各実施例についての説明には、それぞれ重点が置かれており、ある実施例で詳しく説明又は記載されていない部分は、他の実施例における関連説明を参照できる。
分離部材として説明された上記ユニットは、物理的に分離してもよいし、物理的に分離しなくてもよく、ユニットとして表示された部材は、物理ユニットであってもよいし、物理ユニットでなくてもよく、すなわち一箇所に位置してもよいし、複数のネットワークユニットに配置されてもよい。実際の必要に応じて、その一部又は全部のユニットを選択して本実施例案の目的を実現してもよい。
【００４１】
なお、本願の各実施例における各機能ユニットは、１つの処理ユニットに集積されてもよく、各ユニットは、独立して物理的に存在してもよく、２つ又は２つ以上のユニットは１つのユニットに集積されてもよい。上記集積されたユニットは、ハードウェアの形態で実現されてもよく、ソフトウェア機能ユニットの形態で実現されてもよい。
【００４２】
上述の実施例は、本願の技術的解決手段を説明するためのものにすぎず、本願を限定するものではなく、前述した実施例を参照しながら本願について詳細に説明したが、当業者であれば、前述した各実施例に記載の技術的解決手段を補正し、または、一部の技術的特徴を同等置換することができることを理解すべきであり、これらの補正や置換を行っても、対応する技術的解決手段の本質が本願の各実施例の技術的解決手段の要旨や範囲を離脱することなく、いずれも本願の特許請求の範囲に含まれるはずである。
【符号の説明】
【００４３】
１１  給電電源
１２  負荷モジュール
２１  整流回路
２２  定電圧給電回路
２３  緊急給電回路
２４  パワーダウン検出回路
２５  主制御回路
２６  昇圧回路
２７  ＲＦ回路
【図１】
0003229380.tif 000003
【図２】
0003229380.tif 000004
【図３】
0003229380.tif 000005
【図４】
0003229380.tif 000006
【図５】
0003229380.tif 000007
【図６】
0003229380.tif 000008
【図７】
0003229380.tif 000009
【図８】
0003229380.tif 000010
【手続補正書】
【提出日】令和2年9月15日(2020.9.15)
【手続補正１】
【補正対象書類名】実用新案登録請求の範囲
【補正対象項目名】全文
【補正方法】変更
【補正の内容】
【実用新案登録請求の範囲】
【請求項１】
給電電源と少なくとも１つの負荷モジュールに接続される緊急監視回路であって、
前記給電電源に接続され、前記給電電源により提供される交流電圧信号を直流電圧信号に変換するための整流回路と、
前記整流回路に接続され、前記直流電圧信号を受信し、前記直流電圧信号に基づいて定電圧給電信号を生成するための定電圧給電回路と、
前記定電圧給電回路に接続され、前記定電圧給電信号を受信し、前記定電圧給電信号に基づいて緊急給電信号を出力するための緊急給電回路と、
前記整流回路に接続され、前記直流電圧信号を収集し、前記直流電圧信号を検出してパワーダウン検出信号を生成するためのパワーダウン検出回路と、
前記パワーダウン検出回路に接続され、前記パワーダウン検出信号を受信し、前記パワーダウン検出信号に基づいてイネーブル制御信号及び負荷制御信号を生成するための主制御回路と、
それぞれ前記主制御回路、定電圧給電回路及び前記緊急給電回路に接続され、前記イネーブル制御信号、前記緊急給電信号及び前記定電圧給電信号を受信し、イネーブル制御信号に基づいて動作電圧信号を出力して、前記主制御回路に給電するための昇圧回路と、
前記主制御回路及び前記負荷モジュールに接続され、前記負荷制御信号を受信し、前記負荷モジュールが緊急電源を起動させるように制御するように、前記負荷制御信号に基づいて前記負荷モジュールにＲＦ制御信号を送信するためのＲＦ回路とを含む、ことを特徴とする緊急監視回路。
【請求項２】
前記パワーダウン検出回路は、
前記整流回路に接続され、前記直流電圧信号を受信し、前記直流電圧信号に対して分圧処理を行って分圧信号を生成するための分圧ユニットと、
前記分圧ユニット及び前記昇圧回路に接続され、前記分圧信号に基づいて前記パワーダウン検出信号を生成するためのスイッチユニットとを含む、ことを特徴とする請求項１に記載の緊急監視回路。
【請求項３】
前記緊急給電回路は、
緊急給電信号を提供するためのバッテリーユニットと、
前記定電圧給電回路に接続され、前記定電圧給電信号を受信し、前記定電圧給電信号に基づいて前記バッテリーユニットに充電するための充電管理ユニットとを含む、ことを特徴とする請求項１に記載の緊急監視回路。
【請求項４】
前記分圧ユニットは、第３抵抗と、第４抵抗と、第４コンデンサと、第１ツェーナダイオードとを含み、
前記第３抵抗の第１端が前記整流回路に接続され、前記第３抵抗の第２端、前記第１ツェーナダイオードのカソード、前記第４抵抗の第１端及び前記第４コンデンサの第１端が前記スイッチユニットに共通接続され、前記第１ツェーナダイオードのアノード、前記第４コンデンサの第２端及び前記第４抵抗の第２端が共通接地される、ことを特徴とする請求項２に記載の緊急監視回路。
【請求項５】
前記スイッチユニットは、第５抵抗と、第１スイッチトランジスタとを含み、
前記第５抵抗の第１端が前記昇圧回路に接続され、前記第５抵抗の第２端と前記第１スイッチトランジスタの電流入力端が前記主制御回路に共通接続され、前記第１スイッチトランジスタの制御端が前記分圧ユニットに接続され、前記第１スイッチトランジスタの電流出力端が接地される、ことを特徴とする請求項２に記載の緊急監視回路。
【請求項６】
前記整流回路は、第１抵抗と、第１コンデンサと、第１ダイオードと、第２コンデンサと、第２抵抗と、第１インダクタンスと、第３コンデンサと、整流チップとを含み、
前記第１抵抗の第１端が前記給電電源の第１端に接続され、前記第１抵抗の第２端と前記第１コンデンサの第１端が前記整流チップの第１入力端に共通接続され、前記整流チップの第２入力端と前記第１コンデンサの第２端が前記給電電源の第２端に共通接続され、前記整流チップの第１出力端と前記第１ダイオードのアノードが前記パワーダウン検出回路に共通接続され、前記第１ダイオードのカソード、前記第２コンデンサの第１端、前記第２抵抗の第１端が前記第１インダクタンスの第１端に共通接続され、前記第１インダクタンスの第２端、前記第２抵抗の第２端及び前記第３コンデンサの第１端が前記定電圧給電回路に共通接続され、前記第３コンデンサの第２端、前記第２コンデンサの第２端及び前記整流チップの第２出力端が共通接地される、ことを特徴とする請求項１に記載の緊急監視回路。
【請求項７】
前記定電圧給電回路は、第６抵抗と、第７抵抗と、第８抵抗と、第９抵抗と、第１０抵抗と、第１１抵抗と、第１２抵抗と、第１３抵抗と、第１４抵抗と、第１５抵抗と、第２ダイオードと、第５コンデンサと、第６コンデンサと、第７コンデンサと、第８コンデンサと、第３ダイオードと、第４ダイオードと、第１トランスと、電源管理チップとを含み、
前記第６抵抗の第１端、前記第６コンデンサの第１端、前記第１３抵抗の第１端及び前記第１トランスの第１入力端が前記整流回路に共通接続され、前記第６コンデンサの第２端、前記第１３抵抗の第２端が前記第１２抵抗の第１端に共通接続され、前記第１２抵抗の第２端が前記第３ダイオードのカソードに接続され、前記第３ダイオードのアノードと前記第１トランスの第２入力端が前記電源管理チップの出力端に共通接続され、前記第６抵抗の第２端、前記第７抵抗の第１端及び前記第５コンデンサの第１端が前記電源管理チップの電源端に共通接続され、第７抵抗の第２端が前記第２ダイオードのカソードに接続され、前記第５コンデンサの第２端と前記電源管理チップの接地端が共通接地され、前記電源管理チップの電圧サンプリング端と前記第８抵抗の第１端が前記第９抵抗の第１端に共通接続され、前記第９抵抗の第２端が接地され、前記電源管理チップの電流サンプリング端と前記第１０抵抗の第１端が前記第１１抵抗の第１端に共通接続され、前記第１０抵抗の第２端と前記第１１抵抗の第２端が共通接地され、前記第８抵抗の第２端と前記第２ダイオードのアノードが前記第１トランスの第１出力端に共通接続され、前記第１トランスの第２出力端と前記第４ダイオードのアノードが前記第７コンデンサの第１端に共通接続され、前記第７コンデンサの第２端が前記第１４抵抗の第１端に接続され、前記第４ダイオードのカソード、前記第８コンデンサの第１端及び前記第１５抵抗の第１端が前記緊急給電回路に共通接続され、前記第１トランスの第３出力端、前記第８コンデンサの第２端及び第１５コンデンサの第２端が共通接地される、ことを特徴とする請求項１に記載の緊急監視回路。
【請求項８】
給電電源ポート、
少なくとも１つの負荷モジュールと、
それぞれ前記給電電源ポートと前記負荷モジュールに接続される請求項１〜７のいずれか１項に記載の緊急監視回路とを含む、ことを特徴とする緊急監視装置。
【請求項９】
前記負荷モジュールは、ＬＥＤ光源、アラーム、ファン、テレビ、洗濯機、給湯器及び電気炊飯器のうちのいずれか一つである、ことを特徴とする請求項８に記載の緊急監視装置。
【請求項１０】
前記負荷モジュールは、
前記給電電源に接続され、前記給電電源により提供される交流電圧信号を負荷直流電圧信号に変換するための負荷整流回路と、
前記負荷整流回路に接続され、前記負荷直流電圧信号を受信し、前記負荷直流電圧信号に基づいて負荷定電圧給電信号を生成するための負荷定電圧給電回路と、
前記負荷定電圧給電回路に接続され、前記負荷定電圧給電信号を受信し、前記負荷定電圧給電信号に基づいて負荷緊急給電信号を出力するための負荷緊急給電回路と、
前記負荷整流回路に接続され、前記負荷直流電圧信号を収集し、前記負荷直流電圧信号を検出して負荷パワーダウン検出信号を生成するための負荷パワーダウン検出回路と、
前記負荷パワーダウン検出回路に接続され、前記負荷パワーダウン検出信号を受信し、前記負荷パワーダウン検出信号に基づいて負荷イネーブル制御信号及び緊急回路フィードバック信号を生成するための負荷主制御回路と、
それぞれ前記負荷主制御回路、前記負荷定電圧給電回路及び前記負荷緊急給電回路に接続され、前記負荷イネーブル制御信号、前記負荷緊急給電信号及び前記負荷定電圧給電信号を受信し、負荷イネーブル制御信号に基づいて動作電圧信号を出力して、前記負荷主制御回路に給電するための負荷昇圧回路と、
前記負荷主制御回路と前記緊急監視回路に接続され、前記緊急回路フィードバック信号を受信し、前記緊急回路フィードバック信号に基づいて前記緊急監視回路にＲＦフィードバック信号を送信するための負荷ＲＦ回路とを含む、ことを特徴とする請求項８に記載の緊急監視装置。